(57)【要約】      （修正有）【課題】コードとイヤホンの絡みの防止とすばやい収納作業を可とするコード及びイヤホン収納具を提供する。【解決手段】コード係止具本体１下部中央部より端縁に向かって非対称に左右に開き、開口したコード挿入案内部２、３末端で交わる支点と、コード挿入及び係止切れ込み部４と、略滴形状コード挿入係止孔５を連設して設けて、該係止孔５より上部に両面粘着剤を粘着し、更に携帯用音響機器８裏面下端にコード係止孔５が出るように粘着し、機器８にコード１２を巻き付けてイヤホン１３近傍に近づいたら、コード１２をコード挿入案内部２、同３を経てコード挿入及び係止切れ込み部４とコード挿入係止孔５に挿入収納すれば、コード１２とイヤホン１３の絡みもなくすばやい収納作業が出来る。【選択図】図３
0003151332.tif 000002
【実用新案登録請求の範囲】
【請求項１】
柔軟性と弾力あるプラスチック等適宜素材を板状体に一体化形成したコード係止具本体（１）の下部中央部より側面端縁に向かって長く右側に少し弧を描き開口したコード挿入案内部（２）と、同側面より短く左側に弧を描き開口したコード挿入案内部（３）の末端で交わった支点とコード挿入及び係止切れ込み部（４）と、同側面反対側に向かって略滴形状コード挿入係止孔（５）を連設、構成すると、該コード挿入係止孔（５）の上面部各部が少し上方にゆるやかな弧状に構成され、該略滴形状コード挿入係止孔（５）の下端に設けられた係止孔括れ弾力部（６）の下部と、短く左側に弧を描き開口したコード挿入案内部（３）に向かった端部一帯が上下動する突片部（７）を構成し、更にコード挿入係止孔（５）より上部に両面粘着剤（１０）の一面を粘着し、剥離紙（９）を粘付した事を特徴としたコード及びイヤホン係止具。
【考案の詳細な説明】
【技術分野】
【０００１】
本考案は、柔軟性と弾力ある板状体下端縁に、コード及びイヤホンを係止出来るコード挿入係止孔を設けて、携帯用音響機器の裏面に粘着したコード及びイヤホン収納具に関するものである。
【背景技術】
【０００２】
携帯用音響機器でイヤホン使用後は、機器に巻き付けるか、コードをコード巻き取り器で収納するか、ジャックを抜きコードを手で丸めてポケット、カバン等に入れて収納していたのが実情である。
【考案の開示】
【考案が解決しようとする課題】
【０００３】
そのため、コード及びイヤホンをコード巻き取り器で収納するには煩雑で時間のロス、又携帯用音響機器に巻き付けるか、更にジャックを抜きコード及びイヤホンを手で丸めてポケット、カバン等に入れて収納していたが、それは共に、コードとイヤホンが絡み合って解かねばならない不都合が生じていた。そこで前述の問題点を解決しようとするものである。
【課題を解決するための手段】
【０００４】
本考案は、柔軟性と弾力あるプラスチック等適宜素材を、板状体に一体化形成されたコード係止具本体下部中央部より側面端縁に向かって図１に示すように、長く右側に少し弧を描き開口したコード挿入案内部と、同端縁に向かって短く左側に弧を描き開口したコード挿入案内部と末端で交わった支点と、コード挿入及び係止切れ込み部と、略滴形状コード挿入係止孔の上面部、各部が少し上方にゆるやかな弧状に連設し構成することにより、上記係止孔の下部か括れた係止孔括れ弾力部となりコード挿入時は長く右側に少し弧を描き開口したコード挿入案内部にはコードの挿入圧力はかからず、短く左側に弧を描き開口したコード挿入案内部のみにかかり該挿入案内部が括れ弾力部を介して上下動する突片部となり、その上下動を利用してコードを容易に挿出入が出来、更にコード挿入及び係止切れ込み部でコードの脱落を妨ぐ事の出来るコード係止具本体を、図３に示すように略滴形状コード挿入係止孔より上部に両面粘剤の一面を粘着し、もう一面を携帯用音響機器の裏面下端にコード挿入係止孔が出るよう粘着した機器にコードを巻き付けイヤホン近傍に近づいたら、コードを長く右側に少し弧を描き開口したコード挿入案内部に導き入れると、前記コード挿入案内部にはゆるやかな弧状のため挿入圧力はかからず、短く左側に弧を描き開口したコード挿入案内部のみ挿入圧力がかかり、そのため係止孔括れ弾力部を介して、該コード挿入案内部が上下動する突片部となり、その上下動を利用して容易に挿出入が出来、更にコード挿入及び係止切れ込み部でコードの脱落を妨ぎ、又図３に示すようにジャックを介して再挿入巻止すれば、確実にコード及びイヤホンをコード係止具本体に収納することができ、そのままポケット、カバン等に入れてもコードとイヤホンの絡みも解消される。
【考案の効果】
【０００５】
上述のように、本考案は柔軟性と弾力あるプラスチック等適宜素材で板状で一体化形成されているので非常に廉価に提供することができ、しかも携帯用音響機器に装着したまま充電もでき、更に本コード係止具はスマートで小サイズのため機器に装着状態でもかさばらず、尚すばやいコード及びイヤホンの収納作業と共に再使用時も同様にすばやく出来る等の効果が得られる。
【考案の実施するための最良の形態】
【０００６】
以下添付図面に従って一実施例を説明する。
１は柔軟性と弾力あるプラスチック等適宜素材で板状に一体化形成されたコード係止具本体、２はコード係止具本体下部中央部より側面端縁に向かって長く右側に少し弧を描き開口したコード挿入案内部、３は該コード挿入案内部２と末端で交わり、同中央部より側面端縁に向かって短く左側に弧を描き開口したコード挿入案内部、４は該コード挿入案内部２と、前記コード挿入案内部３の末端で交わった支点に接続され、同側面反対側に向かって設けられたコード挿入及び係止切れ込み部、５はコード挿入切れ込み部４に尖った方を接続させ、同側面反対側に向かって連設された略滴形状コード挿入係止孔、該係止孔５は長く右側に少し弧を描き開口したコード挿入案内部２と、コード挿入及び係止切れ込み部４と上記係止孔５の上面部各部が少し上方に向かってゆるやかな弧状に連設する。６は係止孔５の下端に設けられた括れ弾力部、７は係止孔括れ弾力部を介して上下動する突片部、８は携帯用音響機器、９は剥離紙、１０は両面粘着剤をコード係止具本体１の下部側面部に設けられたコード挿入係止孔５より上部に位置するよう粘着した両面粘着剤、１１は機器８裏面下端部にコード係止具本体１を適した位置に粘着出来るよう設けた粘着設定凹部、１２はコード、１３はイヤホン、１４はジャック、１５は携帯用音響機器カバー、尚長く右側に少し弧を描き開口したコード挿入案内部２と、短く左側に弧を描き開口したコード挿入案内部３を代えて同中央部より側面に向かって端縁迄、左右に均等に開口してコード挿入案内部として設けることもある。
【０００７】
本考案の一実施例は上述の如き構成からなるものであるから、図１に示すようにコード係止具本体１の略滴形状コード挿入係止孔５より上部に両面粘着剤１０の一面を粘着し、剥離紙９をはがし、図３に示すように携帯用音響機器８の裏面下端に略滴形状コード挿入係止孔５が出るよう粘着設定凹部１１で粘付装着し、先ず機器８にコード１２を巻き付けてイヤホン近傍に近づいたら、コード１２をコード係止具本体１下部中央部より側面端縁に向かって長く右側に少し弧を描き開口したコード挿入案内部２にすべらせて、次に短く左側に向かって弧を描き開口したコード挿入案内部３を介して該コード挿入案内部２、同案内部３の末端で交わった支点に接続されたコード挿入及び係止切れ込み部４に挿入、更に該コード挿入及び切れ込み部４に連設された略滴形状の尖った方に接続されたコード挿入係止孔５に挿入しようとすると、該係止孔５の上面部、各部が少し上方にゆるやかな弧状に連設することにより、短く左側に弧を描き開口したコード挿入案内部３に主に押し圧力を受ける事により図５に示すように係止孔括れ弾力部６の作用により、短く左側に弧を描き開口したコード挿入案内部３が上下動する突片部７を経てコード挿入係止孔５に何の抵抗もなく容易にコード１２は挿入係止され、更に図３に示すようにジャック１４を介して再度挿入巻止すれば、確実にコード１２、イヤホン１３はコード挿入及び係止切り込み部４で係止され、コード係止具本体１に収納され、そのままポケット、カバン等に入れてもコード１２とイヤホン１３の絡みも生じない。
【０００８】
尚、コード係止具本体１が柔軟性と弾力あるプラスチック等で一体化形成されているので廉価に提供出来ると共に、携帯用音響機器８にコード係止具本体１を装着しても少サイズのため機器８のじゃまにならず、しかも機器８に装着したまま充電も出来、更に機器８に巻き付けられたコード１２をコード係止孔５より解き後方より軽く引けば、すばやく巻き戻されて再使用が楽しめる。
【図面の簡単な説明】
【０００９】
【図１】本考案のコード及びイヤホン係止具の一実例を示す平面図である。
【図２】本係止具のA−A’線拡大断面図である。
【図３】本係止具を携帯用音響機器に粘着し、その使用状態を示す参考平面図である。
【図４】本係止具の使用状態を示す縮小参考斜視図である。
【図５】本係止具の使用状態を示す参考平面図である。
【符号の説明】
【００１０】
１  コード係止具本体
２  長く右側に少し弧を描き開口したコード挿入案内部
３  短く左側に弧を描き開口したコード挿入案内部
４  コード挿入及び係止切れ込み部
５  略滴形状コード挿入係止孔
６  係止孔括れ弾力部
７  上下動突片部
８  携帯用音響機器
９  剥離紙
１０  両面粘着剤
１１  粘着設定凹部
１２  コード
１３  イヤホン
１４  ジャック
１５  携帯用音響機器カバー
【図１】
0003151332.tif 000003
【図２】
0003151332.tif 000004
【図３】
0003151332.tif 000005
【図４】
0003151332.tif 000006
【図５】
0003151332.tif 000007